(57)【特許請求の範囲】
【請求項１】
上端部に半径方向外方に突出する係止フランジを有する容器に、上面の外周部に設けられた湾曲突部を有する弾性変形可能な蓋体を着脱自在に組み付ける蓋体組付装置であって、
飲食物が収容された容器を飲食用具貼付域を通して搬送し、この飲食用具貼付域を通して搬送される間に飲食用具を容器に貼付する飲食用具貼付装置と、前記飲食用具貼付装置にて前記飲食用具が貼付された容器を蓋体装着域を通して搬送し、前記蓋体装着域を通して搬送される間に容器に蓋体を着脱自在に装着する蓋体装着装置と、前記飲食用具貼付装置に容器に貼付すべき飲食用具を送給する飲食用具送給装置と、前記蓋体装着装置に容器に装着すべき蓋体を送給する蓋体送給装置と、を具備し、
前記蓋体装着装置は、周方向に間隔を置いて複数個の容器受部及び蓋体受部が設けられたターレット手段と、各蓋体受部に対応して前記ターレット手段に設けられた蓋体装着手段と、を備え、前記ターレット手段は、環状容器受けプレートと、前記環状容器受けプレートの上方に設けられた環状蓋体受けプレートと、を備え、前記環状容器受けプレートの外周部には前記複数個の容器受部が設けられ、前記環状蓋体受けプレートの外周部には前記環状容器受けプレートの前記複数個の容器受部に対応して前記複数個の蓋体受部が設けられ、また、前記蓋体装着手段は、上下方向に移動自在に支持された昇降部材を備え、前記昇降部材には吸着部材が設けられており、
前記飲食用具貼付装置からの容器は前記蓋体装着装置の前記環状容器受けプレートの前記容器受部に受け入れられ、また前記蓋体送給装置からの蓋体は、その前記湾曲突部が弾性変形することによって前記環状蓋体受けプレートの前記蓋体受部に離脱自在に受け入れられ、前記容器受部に受け入れられた容器及び前記蓋体受部に受け入れられた蓋体が前記蓋体装着域の上流側部を通して搬送される間に、前記昇降部材が下降してその前記吸着部材が前記蓋体受部に保持された蓋体の上面に作用してこれを吸引保持し、前記昇降部材が更に下降すると、その前記吸着部材が蓋体の上面に作用して前記蓋体受部から蓋体を外し、蓋体が前記容器受部に保持された容器の前記係止フランジに着脱自在に装着されることを特徴とする蓋体組付装置。
【発明の詳細な説明】
【０００１】
【発明の属する技術分野】
本発明は、飲食用具及び蓋体付き容器を組み付ける蓋体組付装置に関する。
【０００２】
【従来の技術】
果汁飲料、乳酸菌飲料等の飲食物は、例えばコップ状の容器に収容され、このコップ状容器の開口部には蓋体が装着され、蓋体は蓋体装着装置によって自動的に装着される。このような蓋体装着装置は、所定方向に回転駆動されるターレット手段を備え、このターレット手段の周囲には、複数個の容器受部及び蓋体受部が設けられている。
【０００３】
このような蓋体装着装置では、蓋体は、ターレット手段の蓋体受部に受け入れられ、容器は、ターレット手段の容器受部に受け入れられる。容器及び蓋体が蓋体装着域まで移送されると、ターレット手段に設けられた蓋体装着手段が蓋体を保持して容器の開口部に被せ、このようにして容器に蓋体が装着される。
【０００４】
【発明が解決しようとする課題】
従来、このような蓋体装着装置によって容器に蓋体を装着する前に、飲食物が収容された容器に、ストロー、スプーンなどの飲食用具を貼付しており、このような飲食用具の貼付は、蓋体装着装置とは全く別の組付ラインを構成する飲食用具貼付装置によって行われている。それ故に、飲食用具を貼付した後蓋体を装着するには、飲食用具を貼付した容器を、飲食用具貼付装置を含む組付ラインから蓋体装着装置を含む別の組付ラインに搬送しなければならず、その作業が繁雑であるとともに、蓋体付き容器の製造効率が悪いという問題がある。
【０００５】
本発明の目的は、飲食用具及び蓋体付き容器を組み付けることができる簡単な構成の蓋体組付装置を提供することである。
【０００６】
【課題を解決するための手段】
本発明は、上端部に半径方向外方に突出する係止フランジを有する容器に、上面の外周部に設けられた湾曲突部を有する弾性変形可能な蓋体を着脱自在に組み付ける蓋体組付装置であって、
飲食物が収容された容器を飲食用具貼付域を通して搬送し、この飲食用具貼付域を通して搬送される間に飲食用具を容器に貼付する飲食用具貼付装置と、前記飲食用具貼付装置にて前記飲食用具が貼付された容器を蓋体装着域を通して搬送し、前記蓋体装着域を通して搬送される間に容器に蓋体を着脱自在に装着する蓋体装着装置と、前記飲食用具貼付装置に容器に貼付すべき飲食用具を送給する飲食用具送給装置と、前記蓋体装着装置に容器に装着すべき蓋体を送給する蓋体送給装置と、を具備し、
前記蓋体装着装置は、周方向に間隔を置いて複数個の容器受部及び蓋体受部が設けられたターレット手段と、各蓋体受部に対応して前記ターレット手段に設けられた蓋体装着手段と、を備え、前記ターレット手段は、環状容器受けプレートと、前記環状容器受けプレートの上方に設けられた環状蓋体受けプレートと、を備え、前記環状容器受けプレートの外周部には前記複数個の容器受部が設けられ、前記環状蓋体受けプレートの外周部には前記環状容器受けプレートの前記複数個の容器受部に対応して前記複数個の蓋体受部が設けられ、また、前記蓋体装着手段は、上下方向に移動自在に支持された昇降部材を備え、前記昇降部材には吸着部材が設けられており、
前記飲食用具貼付装置からの容器は前記蓋体装着装置の前記環状容器受けプレートの前記容器受部に受け入れられ、また前記蓋体送給装置からの蓋体は、その前記湾曲突部が弾性変形することによって前記環状蓋体受けプレートの前記蓋体受部に離脱自在に受け入れられ、前記容器受部に受け入れられた容器及び前記蓋体受部に受け入れられた蓋体が前記蓋体装着域の上流側部を通して搬送される間に、前記昇降部材が下降してその前記吸着部材が前記蓋体受部に保持された蓋体の上面に作用してこれを吸引保持し、前記昇降部材が更に下降すると、その前記吸着部材が蓋体の上面に作用して前記蓋体受部から蓋体を外し、蓋体が前記容器受部に保持された容器の前記係止フランジに着脱自在に装着されることを特徴とする蓋体組付装置である。
【０００７】
本発明に従えば、飲食物が収容された容器は、飲食用具貼付装置及び蓋体装着装置の順に順次送給される。飲食用具貼付装置は、容器を飲食用具貼付域を通して搬送し、この搬送中に飲食用具が容器の所定部位に貼付される。蓋体装着装置は、複数個の容器受部及び蓋体受部が設けられたターレット手段と、各蓋体受部に対応して設けられた蓋体装着手段とを備えており、飲食用具送給装置からの容器は蓋体装着装置のターレット手段の容器受部に受け入れられ、また蓋体送給装置からの蓋体はターレット手段の蓋体受部に受け入れられる。容器受部の容器及び蓋体受部の蓋体が蓋体装着域を通して搬送される間に、蓋体装着手段の作用によって蓋体が容器に装着され、かくして容器が飲食用具貼付域及び蓋体装着域を通して連続的に移送される間に、この容器に飲食用具及び蓋体が所要の通りに組み付けられる。
【０００８】
【発明の実施の形態】
以下、添付図面を参照して、本発明に従う蓋体組付装置の実施形態について説明する。
【０００９】
まず、図１を参照して、本発明に従う蓋体組付装置の一実施形態について説明する。図１を参照して、図示の蓋体組付装置は、飲食物が収容された容器２を特定角度位置に位置決めする角度位置決め搬送装置４と、容器２に飲食用具６（図２参照）を貼付する飲食用具貼付装置８と、飲食用具６が取り付けられた容器２に蓋体１０を装着する蓋体装着装置１２と、を備えている。角度位置決め搬送装置４の上流側には容器送給装置１４が設けられ、容器送給装置１４によって送給された容器２が角度位置決め搬送装置４に送給される。また、飲食用具貼付装置８に関連して飲食用具送給装置１６が設けられ、蓋体装着装置１２に関連して蓋体送給装置１８が設けられている。
【００１０】
ここで、図２を参照して、この蓋体組付装置によって組み付けられる容器２について説明する。この容器２はコップ状であり、例えば紙、合成樹脂等から形成される。この容器２の上端部には、半径方向外方に突出する環状係止フランジ２２が一体的に設けられている。この容器２の上面開口には、必要に応じて密封シールが貼付される。この容器２には、飲食物としての例えば果汁飲料、乳酸菌飲料、牛乳、ヨーグルト等が収容される。
【００１１】
この容器２には、飲食用具６及び蓋体１０が組み付けられる。飲食用具６は、収容される飲食物が果汁飲料、乳酸菌飲料等のときにはストロー２４が用いられ、飲食物によってはスプーン、フォーク等が用いられる。飲食用具６は、フィルム状シート２６等に密封される。この飲食用具６は、フィルム状シート２６を例えば接着剤によって容器２の周側面の所定部位に貼付される。
【００１２】
蓋体１０は例えば透明な合成樹脂から形成され、その開口部の内周面には、容器２の係止フランジ２２に着脱自在に係合する係合凹部（図示せず）が形成されている。この蓋体１０の肉厚は薄く、弾性変形可能である。この蓋体１０の上面中央部には円形凹部２６が設けられ、その外周部に湾曲突部２８が設けられている。この蓋体１０は、容器２の上方から押しつけることによって、容器２の上端部に離脱自在に装着される。
【００１３】
次に、この蓋体組付装置の各装置について説明する。容器送給装置１４は、螺旋搬送機構３１を備え、容器供給源（図示せず）からの容器２を下流側に送給する。
【００１４】
角度位置決め搬送装置４は、矢印４０で示す方向に回転駆動される第１ターレット手段４２を備え、この第１ターレット手段４２と螺旋搬送機構３１との間に第１補助ターレット手段４４が配設されている。第１ターレット手段４２には、複数個の第１容器受部４６が設けられ、また第１補助ターレット手段４４にも、周方向に間隔を置いて複数個の容器受部４８が設けられている。螺旋搬送機構３１によって搬送された容器２は、第１補助ターレット手段４４の容器受部４８に一個ずつ受け入れられた後第１ターレット手段４２に送給される。第１ターレット手段４２の各第１容器受部４６には位置決め回転機構（図示せず）が設けられ、第１ターレット手段４２によって搬送される間に、容器２が特定角度位置に位置決めされる。
【００１５】
飲食用具貼付装置８は、矢印５０で示す方向に回転駆動される第２ターレット手段５２を備えている。第２ターレット手段５２には、周方向に間隔を置いて複数個の第２容器受部５６が設けられ、また各第２容器受部５６に対応して用具受部（図示せず）が設けられている。角度位置決め搬送装置４からの容器２は、第２ターレット手段５２の第２容器受部５６に一個ずつ受け渡されて保持される。
【００１６】
容器２の移動搬送経路には飲食用具貼付域Ｂが設けられ、飲食用具送給装置１６はこの飲食用具貼付域Ｂの上流側に配設されている。飲食用具送給装置１６は、多数の飲食用具６が帯状に巻かれた用具巻帯５８から引き出す引出ローラ６０と、引出ローラ６０を回転駆動するためのサーボモータ６２と、カッタ手段（図示せず）とを含み、用具巻帯５８から引出された飲食用具６はカッタ手段によって分離された後に第２ターレット手段５２の用具受部（図示せず）に受け入れられる。
【００１７】
第２容器受部５６の容器２及び用具受部の飲食用具６は、飲食用具貼付域Ｂを通して搬送される。飲食用具貼付域Ｂの上流側には、更に、接着剤付与装置６６が配設され、接着剤付与装置６６は飲食用具６を覆うフィルム状シート２６（図２参照）に貼付用接着剤を付与する。そして、容器２及び飲食用具６が飲食用具貼付域Ｂを通して搬送される間に、用具受部に保持された飲食用具６が容器２の周側面の所定部位に押し付けられ、これによって図２（ｂ）で示すように、容器２の周側面に飲食用具６が取り付けられる。
【００１８】
容器２の移動搬送経路には印刷域Ｃが設けられ、この印刷域Ｃは上記飲食用具貼付域Ｂの下流側に位置している。印刷域Ｃには例えばインクジェット方式の印刷装置６８が設けられ、印刷装置６８は容器２の所定部位に、所望の印刷、例えば製造年月日、賞味期限等の印刷を施す。尚、印刷域Ｃの下流側には、印刷検査装置７０が設けられ、印刷検査装置７０は印刷装置６８によって印刷されたか否かをチェックする。このように飲食用具６及び印刷が付与された容器２は、蓋体装着装置１２に搬送される。
【００１９】
蓋体装着装置１２は、矢印７２で示す方向に回転駆動される第３ターレット手段７４を備え、この第３ターレット手段７４と第２ターレット手段５２との間に第２補助ターレット手段７６が配設されている。第３ターレット手段７４には、周方向に間隔を置いて複数個の第３容器受部７８が設けられているとともに、各第３容器受部７８に対応して蓋体受部（後述する）が設けられ、更に各蓋体受部に対応して蓋体１０を装着する蓋体装着手段（後述する）が設けられている。また、第２補助ターレット手段７６にも、周方向に間隔を置いて複数個の容器受部８０が設けられている。第２ターレット手段５２からの容器２は、第２補助ターレット手段７６の容器受部８０に一個ずつ受け入れられた後第３ターレット手段７４に送給される。
【００２０】
容器２の移動搬送経路には蓋体装着域Ｄが設けられ、蓋体送給装置１８は、この蓋体装着域Ｄの上流側に配設されている。蓋体送給装置１８は、蓋体供給源（図示せず）からの蓋体１０を矢印で示す方向に第３ターレット手段７４に向けて送給し、かく送給された蓋体１０が第３ターレット手段７４の蓋体受部に受け入れられる。
【００２１】
第３容器受部７８に保持された容器２及び蓋体受部に保持された蓋体１０が蓋体装着域Ｄに移送されると、容器２に蓋体１０が所要の通りに装着され、図２（Ｃ）に示す、飲食用具６及び蓋体１０を備えた容器２が完成する。このようにして組み立てられた容器２は、容器排出装置８２に排出され、容器排出装置８２はこの容器２を矢印で示す方向にさらに下流側に送給する。
【００２２】
この実施形態では、飲食用具貼付装置８及び蓋体装着装置１２が連続的に容器２を送給する一つの製造ラインに含まれているので、飲食用具６及び蓋体１０を備えた容器２を連続工程の中で組み付けることができる。また、実施形態のようにこの製造装置に印刷装置６８を含めることもできる。
次に、図３〜図８を参照して、蓋体組付装置の蓋体装着装置１２について説明する。
【００２３】
図３を参照して、図示の蓋体装着装置１２は、工場の床等に設置される装置本体１０２を備え、この装置本体１０２に、第３ターレット手段７４が回転自在に支持されている。図示の装置本体１０２は本体プレート１０４を備えており、この本体プレート１０４の略中央部には支持スリーブ１０６が取り付けられている。また、本体プレート１０４には複数本、例えば４本の支持ロッド１０８（図３において１本示す）が取り付けられている。支持ロッド１０８の上端部には上プレート１１０が装着され、かかる上プレート１１０が支持ロッド１０８を介して本体プレート１０４に支持されている。
【００２４】
支持スリーブ１０６には、一対の軸受１１２を介して回転軸１１４が回転自在に支持されている。回転軸１１４の一端部は支持スリーブ１０６を越えて本体プレート１０４の下側に突出し、この突出端部にキー部材１１６を介して歯車１１８が装着されている。この歯車１１８は、蓋体装着装置１２の主駆動源に駆動連結されている。また、回転軸１１４の他端側は支持スリーブ１０６及び上プレート１１０を越えて上方に突出している。上プレート１１０の上面には支持部材１２０が取り付けられ、回転軸１１４の他端部はスリーブ軸受１２２を介して支持部材１２０に回転自在に支持されている。
【００２５】
第３ターレット手段７４は、回転軸１１４の軸線方向中間部に装着されている。第３ターレット手段７４は、キー部材１２４を介して回転軸１１４に固定された回転スリーブ１２６と、回転スリーブ１２６の外周に取り付けられた本体テーブル１２８と、この本体テーブル１２８の下部外周に取り付けられた外側テーブル１３０とを備え、これらが回転軸１１４と一体的に回転する。外側テーブル１３０には、環状の載置プレート１３２と、この載置プレート１３２の上方に配設された一対の環状容器受けプレート１３４，１３６と、環状容器受けプレート１３４，１３６の上方に配設された環状蓋体受けプレート１３８とが装着されている。環状容器受けプレート１３４，１３６の外周部には、周方向に間隔を置いて複数個の略半円状の受け凹部（図示せず）が形成され、この形態では、載置プレート１３２及び一対の環状容器受けプレート１３４，１３６の受け凹部は、容器２が受け入れられる第３容器受部７８を構成し、第３ターレット手段７４に送給された容器２は、図３に示すように、その底部が載置プレート１３２の上面に載置され、その周側面が一対の環状容器受けプレート１３４，１３６の受け凹部に受け入れられる。
【００２６】
環状蓋体受けプレート１３８の外周部には、周方向に間隔を置いて複数個の略半円状の受け凹部１４０（図４も参照）が形成されている。各受け凹部１４０は、環状容器受けプレート１３４，１３６の受け凹部（図示せず）に対応してその上方に位置し、蓋体１０を受け入れる蓋体受部１４１を構成する。蓋体１０は、その湾曲突部２８が幾分弾性変形することによって受け凹部１４０内に離脱可能に保持される。
【００２７】
第３ターレット手段７４には、蓋体受けプレート１３８の各受け凹部１４０に対応してその上方に、蓋体装着手段１４２が設けられている。本体テーブル１２８の上面に上テーブル１４４が取り付けられ、蓋体装着手段１４２は、上テーブル１４４の外周部に装着された案内支持筒体１４６と、この案内支持筒体１４６内にスリーブ軸受１４８を介して上下方向に移動自在に支持された昇降部材１５０とを備えている。昇降部材１５０の先端部（下端部）には押圧部材１５２が装着され、この押圧部材１５２の外周部には、蓋体１０の湾曲突部２８の形状に対応した押圧部が形成されている。押圧部材１５２の中央部には円形開口部が形成され、この円形開口部内に吸着部材１５４が装着されている。吸着部材１５４は、例えばゴム等の弾性を有する漏斗状部材から構成される。
【００２８】
昇降部材１５０の先端側には軸線方向に延びる通路１５５が形成され、この通路１５５の一端部が吸着部材１５４に連通され、その他端部が昇降部材１５０の周側面に開口している。また、本体テーブル１２８には、各蓋体装着手段１４２に対応して通路１５６が形成され、この通路１５６の一端部が本体テーブル１２８の下面に開口し、その他端部がその周側面に開口し、通路１５６の他端部がチューブ１５８を介して昇降部材１５０の通路１５５に連通している。更に、支持スリーブ１０６のフランジ部１６０の上面には通路形成部材１６２が装着されている。この通路形成部材１６２には、蓋体装着域Ｄの上流側部に対応して通路凹部（図示せず）が形成され、通路凹部に接続パイプ１６４が接続されている。更にまた、本体プレート１０４には、吸引源に接続されたパイプ部材１６６が取り付けられ、このパイプ部材１６６がチューブ１６８を介して接続パイプ１６４に連通されている。従って、蓋体装着手段１４２が蓋体装着域Ｄの上流側部を移動する間、吸引源からの吸引力は、チューブ１５８及び昇降部材１５０の通路１５５等を通して吸引部材１５４に作用する。
【００２９】
案内支持筒体１４６の軸線方向中間部の周側面には、上記軸線方向に延びるスリット開口１７２が形成されている。また、昇降部材１５０には短軸１７４が固定され、短軸１７４の先端部はこのスリット開口１７２を通して外方に突出し、短軸１７４の突出端部に、コロ１７６が回転自在に装着されている。一方、上プレート１１０の内面には複数本のロッド部材１８０が装着され、これらロッド部材１８０の下面にリング状のカム部材１８２が装着され、このカム部材１８２のカム作用部１８４に、コロ１７６が接触している。カム作用部１８４は、蓋体装着域Ｄに対応してその上下方向の肉厚が次第に薄くなっており、従って蓋体装着域Ｄにおいては昇降部材１５０は下降した後上昇し、その他の領域では上昇状態に維持される。
【００３０】
図３とともに図４を参照して、この第３ターレット手段７４の周囲には、上述した蓋体装着域Ｄに加えて、蓋体受け入れ域Ｅ、容器受け入れ域Ｆ及び容器排出域Ｇが配設され、矢印７２で示す第３ターレット手段７４の回転方向に見て、蓋体受け入れ域Ｅ及び容器受け入れ域Ｆは上記蓋体装着域Ｄの上流側に配設され、容器排出域Ｇは上記蓋体装着域Ｄの下流側に配設されている。
【００３１】
蓋体送給装置１８は、蓋体受け入れ域Ｅに関連して設けられ、上流側に位置する送給ベルト部１９２と、下流側に位置する蓋挿入部１９４とから構成されている。図７をも参照して、送給ベルト部１９２は、一対のローラ１９６（図７において一方のみ示す）間に巻き掛けられた無端状ベルト１９８を備え、このベルト１９８の上ベルト部２００が矢印で示す方向に移動する。無端状ベルト１９８の両側には、蓋体１０の送給方向に延びる案内ガイド板２０２，２０４が設けられている。蓋体供給源（図示せず）から供給された蓋体１０は、その湾曲突部２８（図２参照）が上となるように無端状ベルト１９８の上ベルト部２００に供給され、一対の案内ガイド板２０２，２０４に案内されながら矢印で示す下流側に送給される。
【００３２】
蓋挿入部１９４は細長い案内板２０６を備え、この案内板２０６は送給ベルト部１９２の下流側から蓋体受け入れ域Ｅを越えて更に下流側に容器受け入れ域Ｆの上流側まで延びている。この案内板２０６の両側部には案内ガイド部材２０８，２１０が設けられ、案内ガイド部材２０８，２１０の内側案内面は、第３ターレット手段７４の環状蓋体受けプレート１３８の外周に沿って弧状に湾曲して延びている。
【００３３】
蓋挿入部１９４の案内板２０６の上流端部は無端状ベルト１９８の上ベルト部２００の下流端に近接し、無端状ベルト１９８の上ベルト部２００とほぼ同一平面になっている。この案内板２０６の上端部の幅方向（図４において上下方向）中央部には、略Ｖ字状の切欠き２１２（図４参照）が設けられている。このように構成することによって、無端状ベルト１９８から案内板２０６に移動する蓋体１０は、その両側部から案内板２０６に導かれるようになり、蓋体１０を確実に案内板２０６に導くことができる。
【００３４】
送給ベルト部１９２の下流端部上方には空気噴射ノズル２０３が設けられている。この空気噴射ノズル２０３は圧縮空気供給源（図示せず）に接続され、圧縮空気供給源からの圧縮空気が空気噴射ノズル２０３から、送給ベルト部１９２から蓋挿入部１９４に移動する蓋体１０の上面に吹き付けられる。
【００３５】
この蓋体送給装置１８には、図７に示すように、蓋体送給経路を通して送給される蓋体１０の移動を一時的に停止するための移動阻止手段２１４が設けられている。移動阻止手段２１４は、空圧シリンダ２１８を備え、空圧シリンダ２１８が案内板２０６の下面に装着された取付ブラケット２２０に装着されている。空圧シリンダ２１８の出力部には移動阻止片２２２が装着され、この移動阻止片２２の先端部が案内板２０６に形成された開口を通して上方に突出可能に構成されている。空圧シリンダ２１８が伸長すると、移動阻止片２２２の上端部が案内板２０６の上方に突出し、案内板２０６の上面に沿って移動する蓋体１０に作用する。一方、空圧シリンダ２１８が収縮すると、移動阻止片２２２は案内板２０６の下方に後退し、この移動阻止片２２２が案内板２０６の上面の蓋体１０に作用することはない。
【００３６】
停止域Ｈの上流側には、一対の噴射ノズル２２４（図４参照）が設けられている。噴射ノズル２２４は案内板２０６の両側部上方に配置され、圧縮空気供給源（図示せず）に連通されている。圧縮空気供給源から圧縮空気が供給されると、供給された圧縮空気は一対の噴射ノズル２２４から送給方向下流側に向けて下方に噴射され、噴射された圧縮空気は停止域Ｈに位置する蓋体１０の上面に吹き付けられ、かくして蓋体１０の蓋体受け入れ域Ｅへの移動速度が速められる。
【００３７】
この蓋体送給装置１８は、図５及び図６に示すように、蓋体供給源（図示せず）から供給された蓋体１０を連続的に蓋体受け入れ域Ｅに向けて送給し、送給ベルト部１９２においては無端状ベルト１９８によって、また蓋挿入部１９４においては送給ベルト部１９２から送給される蓋体１０によって押し進められる。そして、このように連続的に送給される蓋体１０が第３ターレット手段７４の環状蓋体受けプレート１３８の受け凹部１４０に一つずつスムースに受け入れられるように、次の通りに構成されている。
【００３８】
図４〜図６を参照して、環状蓋体受けプレート１３８の受け凹部１４０は、半円状の保持受部２３２と、保持受部２３２の開口側に設けられた導入案内部２３４とを有している。そして、導入案内部２３４の一方の側部２３４ａは、受け凹部１４０の開口端から半径方向外方に向けて上記下流側に弧状に拡がって延び、その他方の側部２３４ｂは、受け凹部１４０の開口端から半径方向外方に直線状に延び、環状蓋体受けプレート１３８の、隣接する受け凹部１４０間の部位は、先端部が半径方向外方に向けて尖った形状となっている。このように構成することによって、環状蓋体受けプレート１３８の上記部位の先端部が、蓋体受け入れ域Ｅにおいて、連続的に送給される蓋体１０間に挿入され、蓋体１０は受け凹部１４０に所要の通りに受け入れられる。
【００３９】
次に、主として図３〜図５を参照して、上述した蓋装着装置１２の作用を概説する。蓋体供給源（図示せず）から供給された蓋体１０は、送給ベルト部１９２及び蓋挿入部１９４によって蓋体受け入れ域Ｅに連続的に送給される。
【００４０】
蓋体１０が蓋体受け入れ域Ｅに送給されると、蓋体１０は案内ガイド部材２０８に案内されながら矢印７２で示す方向に移動する環状蓋体受けプレート１３８の受け凹部１４０内に導かれてその保持受部２３２に受け入れられ、このようにして蓋体１０が一つずつ蓋体受部１４１に受け入れられる。この受け入れ状態では、蓋体１０は、その周側壁が幾分弾性変形することによって蓋体受部１４１に弾性的に確実に保持される。そして、第３ターレット手段７４が容器受け入れ域Ｆまで移動すると、第２補助ターレット手段７６によって送給された容器２が第３ターレット手段７４の容器受部７８に受け入れられ、容器受部７８はこの容器２を保持する。
【００４１】
容器２を保持する容器受部７８及び蓋体１０を保持する蓋体受部１４１は蓋体装着域Ｄを通して移動され、この蓋体装着域Ｄを通して移動される間に、蓋体１０が容器受部７８に保持された容器２に装着される。蓋体装着域Ｄにおいては、コロ１７６及び昇降部材１５０はカム部材１８２のカム作用部１８４に沿って従動され、昇降部材１５０は下方に移動された後上方に移動される。そして、昇降部材１５０が下降して上昇を開始するまでの間、本体テーブル１２８の通路１５６が通路形成部材１６２の通路凹部に連通され、吸引源（図示せず）からの吸引力が吸着部材１５４に作用する。
【００４２】
昇降部材１５０が下降すると、この昇降部材１５０に装着された吸着部材１５４が蓋体受部１４１に保持された蓋体１０の上面に作用してこれを吸引保持する。そして、昇降部材１５０の更なる下降によって、吸着部材１５４は、蓋体受部１４１から蓋体１０を外し、更に下方に移動して容器受部７８に保持された容器２の上端部に蓋体１０を押し付け、このようにして蓋体１０が容器２に装着される。
【００４３】
蓋体装着域Ｄを更に下流側に移動すると、昇降部材１５０が上昇して元の位置に戻り、蓋体受部１４１への蓋体１０の受け入れが可能となる。昇降部材１５０が上昇するときには、本体テーブル１２８の通路１５６と通路形成部材１６２の通路凹部との連通が遮断され、容器２に装着された蓋体１０には吸着部材１５５による吸引作用が作用することはない。
【００４４】
このようにして容器２に蓋体が装着され、第３ターレット手段７４の回転によって蓋体１０付き容器２が容器排出域Ｇに移送されると、容器受部７８に保持された容器２が第３ターレット手段７４から容器排出装置８２に排出され、この容器排出手段８２によって更に下流側に送給される。
【００４５】
【発明の効果】
本発明の請求項１の蓋体組付装置によれば、飲食物が収容された容器は、飲食用具貼付装置及び蓋体装着装置の順に順次送給され、飲食用具及び蓋体付き容器を一つの組付ラインで所要の通り組み付けることができる。
【図面の簡単な説明】
【図１】本発明に従う蓋体組付装置の一実施形態を簡略的に示す平面図である。
【図２】図２（ａ）は、容器、飲食用具及び蓋体をそれぞれ別個に示す図であり、図２（ｂ）は、容器に飲食用具を貼付した状態を示す図であり、図２（ｃ）は、容器に飲食用具及び蓋体を装着した状態を示す図である。
【図３】図１蓋体組付装置の蓋体装着装置の要部を示す断面図である。
【図４】図３の蓋体装着装置のターレット手段及びその近傍を示す平面図である。
【図５】図４の蓋体装着装置における蓋体の送給状態を示す平面図である。
【図６】蓋体がターレット手段の蓋体受部に保持される状態を示す平面図である。
【図７】図３の蓋体装着装置の蓋体送給手段に設けられた移動阻止手段及びそれに関連する構成を示す断面図である。
【図８】移動阻止手段によって蓋体の移動が阻止された状態を示す平面図である。
【符号の説明】
２  容器
６  飲食用具
８  飲食用具貼付装置
１０  蓋体
１２  蓋体装着装置
１４  容器送給装置
１６  飲食用具送給装置
１８  蓋体送給装置
７４  第３ターレット手段
７８  第３容器受部
１４１  蓋体受部
【図１】
0004342028.tif 000002
【図２】
0004342028.tif 000003
【図３】
0004342028.tif 000004
【図４】
0004342028.tif 000005
【図５】
0004342028.tif 000006
【図６】
0004342028.tif 000007
【図７】
0004342028.tif 000008
【図８】
0004342028.tif 000009